(57)【要約】【課題】  軒先の瓦と広小舞との間の隙間を塞ぎつつ、屋根下地への雨水の浸入を効果的に防ぐとともに雨水の排水を円滑に行うことによって軒先の防汚を図り、軒先への取付作業を容易にする。【解決手段】  本発明の軒先面戸１は、帯状の固定板部１１の水下側端縁から斜め下方に傾斜して基板部１２が延設され、この基板部１２の水下側の端縁に軒先の隙間の前面形状に合致する薄板状の面戸板部１３が基板部１２に対してほぼ垂直に立設されている。基板部１２と面戸板部１３との隅部には、水抜き孔１４が形成されている。固定板部１１は、広小舞４の上部に固定され、基板部１２および面戸板部１３は広小舞４の先端よりも軒先方向に張り出して固定される。【選択図】  図４
2006090059.tif 000002
【特許請求の範囲】
【請求項１】
野地板上に配設された広小舞と、葺き重ねられる断面波形状の桟瓦との隙間を塞ぐ軒先面戸であって、
帯状の固定板部の水下側端縁から斜め下方に傾斜して基板部が延設され、この基板部の水下側の端縁に前記隙間の前面形状に合致する薄板状の面戸板部が基板部に対してほぼ垂直に立設され、基板部と面戸板部との隅部に接して水抜き孔が形成されて、
前記固定板部が広小舞の上部に固定されるとともに、基板部および面戸板部が広小舞の先端よりも軒先方向に張り出して固定されることを特徴とする軒先面戸。
【請求項２】
水抜き孔は、葺き重ねられる桟瓦のすくい側の端縁に対応する墨ライン上に位置するように設けられ、この水抜き孔近傍に前記墨ラインとの位置合わせマークが形成されていることを特徴とする請求項１に記載の軒先面戸。
【請求項３】
帯状の固定板部の水下側端縁から斜め下方に傾斜して基板部が延設され、この基板部の水下側の端縁に、断面波形状の桟瓦と広小舞との隙間の前面形状に合致する薄板状の面戸板部がほぼ垂直に立設され、基板部と面戸板部との隅部に接して水抜き孔が形成されている軒先面戸を用いた屋根の軒先構造であって、
野地板上の軒先側に広小舞が配設され、この広小舞の上部に前記軒先面戸の固定板部が配設されるとともに広小舞に釘留めされ、水抜き孔は桟瓦のすくい側の端縁に対応する墨ライン上に配置されて、広小舞の先端よりも軒先前方に張り出した固定板部の上面にルーフィングシートが敷設されるとともに、面戸板部の上部に桟瓦が葺き重ねられたことを特徴とする屋根の軒先構造。
【発明の詳細な説明】
【技術分野】
【０００１】
本発明は、軒先面戸およびこの軒先面戸を用いた屋根の軒先構造に関する。
【背景技術】
【０００２】
波形瓦を用いた屋根の軒先側には、瓦下面と軒先の広小舞との間に隙間があり、この隙間から雀などの小動物が侵入して巣を作ってしまうので、この隙間を面戸により塞いで小動物の侵入を防ぎ、軒先の外観を整える対応がなされている。
【０００３】
従来の軒先面戸としては、例えば、特許文献１、２等に記載されているような面戸板が知られている。この種の面戸は、野地板の軒先端に沿って配置される帯状基板の長手方向端縁に、軒先の瓦と野地板との間を塞ぐ鼻隠しが、瓦の起伏ピッチを一致させて複数個立設されている。また、これらの鼻隠し同士の間の帯域には、野地板との間に水抜き用小空間を形成する突条が並設されている。このような面戸は、軒先端に広小舞を固定した後、ルーフィングシートを敷設し、次いでその上に面戸を、屋根上に葺かれる瓦の配列ピッチに一致するように配置して釘打ちし、軒先側より瓦を葺き並べて施工されている。
【０００４】
また、特許文献３に記載されている面戸板においては、軒先に取着可能なレール部材を備えており、このレール部材のＵ字状装着部に面戸板を嵌め込む構成とされている。かかる面戸板は、レール部材を利用して、瓦葺き施工の進行状態に合わせて任意の位置に嵌め入れることができるように意図されている。
【特許文献１】実開昭６４−３３８３９号公報
【特許文献２】実開昭６１−３９７８２号公報
【特許文献３】実開平４−８６８３１号公報
【発明の開示】
【発明が解決しようとする課題】
【０００５】
前記特許文献１，２に記載されているような面戸は、瓦と広小舞との間の隙間を塞ぐので小動物の侵入を防ぐことはできるが、面戸を固定している釘孔から雨水等が屋根下地に浸水するおそれがあるので、釘周囲のシール処理を施さなければならず、取付作業に手間がかかっていた。また、前記特許文献３に開示されているような面戸では、レール部材のＵ字状装着部に、軒先から排水すべき雨水を滞留させてしまう懸念があった。
【０００６】
さらに、上記のような面戸は、いずれも軒先から排水される雨水が軒先端を伝って軒樋に集水されるので、雨垂れによって広小舞等の軒先端面が汚れたり腐食したりしてしまうという問題点もあった。
【０００７】
このように面戸は、水仕舞を考慮すると、屋根材を軒先からある程度延出させて雨水が軒先端面から離れた位置に流れ落ちるように排水処理できることが好ましく、また、面戸を釘留めするので、釘孔から雨水が侵入しないように処理する必要があった。
【０００８】
そこで本発明は、上記のような問題点にかんがみてなされたものであり、軒先の瓦と広小舞との間の隙間を塞ぎつつ、屋根下地への雨水の浸入を効果的に防ぐとともに雨水の排水を円滑に行うことによって軒先の防汚を図り、軒先への取付作業を容易にすることができる軒先面戸および屋根の軒先構造を提供するものである。
【課題を解決するための手段】
【０００９】
上記した目的を達成するため、本発明は、野地板上に配設された広小舞と、葺き重ねられる断面波形状の桟瓦との隙間を塞ぐ軒先面戸であって、帯状の固定板部の水下側端縁から斜め下方に傾斜して基板部が延設され、この基板部の水下側の端縁に前記隙間の前面形状に合致する薄板状の面戸板部が基板部に対してほぼ垂直に立設され、基板部と面戸板部との隅部に接して水抜き孔が形成されて、前記固定板部が広小舞の上部に固定されるとともに、基板部および面戸板部が広小舞の先端よりも軒先方向に張り出して固定されたことを特徴ととしている。
【００１０】
この発明によれば、基板部および面戸板部が広小舞の先端よりも軒先方向に張り出したことによって、桟瓦と広小舞との隙間を面戸板部で効果的に塞ぎつつ、水抜き孔からの排水が軒先よりも遠い位置で流れ落ちるので、雨水を滞留させたり軒先を汚したりすることなく、雨水を処理することができる。
【００１１】
また本発明は、上記構成の軒先面戸において、葺き重ねられる桟瓦のすくい側の端縁に対応する墨ライン上に位置するように水抜き孔が設けられ、この水抜き孔近傍に前記墨ラインとの位置合わせマークが形成されていることを特徴としている。
【００１２】
この発明によると、軒先面戸を軒先に配置する際、前記墨ラインと位置合わせマークとが合致するように、水抜き孔から確認しつつ位置合わせをすることができるので、軒先面戸を所定位置に配置することが容易であり、正確に取り付けることができる。
【００１３】
また、本発明の屋根の軒先構造は、帯状の固定板部の水下側端縁から斜め下方に傾斜して基板部が延設され、この基板部の水下側の端縁に、断面波形状の桟瓦と広小舞との隙間の前面形状に合致する薄板状の面戸板部がほぼ垂直に立設され、基板部と面戸板部との隅部に接して水抜き孔が形成されている軒先面戸を用いた屋根の軒先構造であって、野地板上の軒先側に広小舞が配設され、この広小舞の上部に前記軒先面戸の固定板部が配設されるとともに広小舞に釘留めされ、水抜き孔は桟瓦のすくい側の端縁に対応する墨ライン上に配置されて、広小舞の先端よりも軒先前方に張り出した固定板部の上面にルーフィングシートが敷設されるとともに、面戸板部の上部に桟瓦が葺き重ねられたことを特徴としている。
【００１４】
この構成によれば、基板部および面戸板部が広小舞の先端よりも軒先方向に張り出したことによって、この面戸板部が桟瓦と広小舞との隙間を効果的に塞ぎつつ、水抜き孔からの排水によって雨水を滞留させたり軒先を汚したりすることなく雨水を処理することができ、また、釘留めされた固定板部の上面にルーフィングシートが敷設されるので、釘孔からの浸水も回避できるので、屋根の水仕舞を健全な状態で維持することができる。
【発明の効果】
【００１５】
上述のように構成される本発明の軒先面戸および屋根の軒先構造によれば、軒先の瓦と広小舞との間の隙間を効果的に塞ぎながら、雨水を円滑に排水することができるので、雨水の浸入や軒先の汚れや腐食を防止することができる。
【００１６】
また、本発明では、瓦割の墨ラインに位置合わせするための位置合わせマークを設けたため、取付作業時の位置決めも容易であり、作業が極めて簡単で施工を容易にすることができる。
【発明を実施するための最良の形態】
【００１７】
以下、本発明に係る軒先面戸および屋根の軒先構造を実施するための最良の形態について、図面を参照しつつ説明する。
【００１８】
図１は本発明に係る軒先面戸と屋根の桟瓦の一例を示し、（ａ）は桟瓦の平面図、（ｂ）は葺き重ねられた桟瓦を示す正面図、（ｃ）は軒先面戸の正面図、（ｄ）は軒先面戸の上面図である。また、図２および図３は軒先面戸の部分拡大図である。
【００１９】
図示するように、軒先面戸１は、帯状の固定板部１１を有し、この固定板部１１の水下側端縁から斜め下方に傾斜して基板部１２が延設されている。さらに、この基板部１２の水下側の端縁には、桟瓦と広小舞との隙間の前面形状に合致する薄板状の面戸板部１３が基板部１２に対してほぼ垂直に立設されている。
【００２０】
例示の形態において、桟瓦２は、かぶせ側２１とすくい側２２、および桟側２３と軒側２４がそれぞれ相対する略四角形で構成されており、図１（ｂ）に示すように、かぶせ側２１とすくい側２２を横断する断面が波形状に形成されている。また、桟側２３の裏面には、屋根の桟に引っ掛けるための突部が設けられている。一般に、この種の桟瓦２の施工は、桟瓦２を屋根の桟に掛止させ、この桟瓦２のすくい側２２の表面に他の桟瓦２のかぶせ側２１を重ね合わせるようにして、屋根の左右方向の左側から右側へと順に葺き重ねられる。
【００２１】
そこで、この軒先面戸１の基板部１２は、重ね葺かれる桟瓦２の働き幅Ａの整数倍に対応させた材長Ｂで形成されている。また、図１（ｃ）に示すように、軒先面戸１の面戸板部１３は、葺き重ねられた桟瓦２…２が形成する広小舞間との間の隙間形状に合致する丸波形状に形成されており、桟瓦２同士の重なり部分ごと覆い隠すことができるようになっている。かかる面戸板部１３は、帯状の基板部１２に対して、材長Ｂに対応する桟瓦２の枚数分が連続して形成されている。例示の形態では、基板部１２は桟瓦２の働き幅Ａの４倍の材長Ｂを有し、面戸板部１３は基板部１２に４個連続して形成されている。
【００２２】
また、図１（ｄ）に示すように、固定板部１１には、桟瓦２の働き幅Ａに等しい間隔で複数の取付孔１６が形成されている。この取付孔１６を介して固定板部１１が軒先に固定されるが、固定板部１１の左側端部の取付孔１６ａは長孔状に形成されており、固定位置を幅方向に寸法調整をすることができるようになっている（図２参照）。
【００２３】
このような軒先面戸１は例えば、鉄板、アルミニウム、鋼板等の材料から構成されていることが望ましい。また、図３に示すように、軒先面戸１には、基板部１２と面戸板部１３との隅部に接して水抜き孔１４が形成されている。例示の形態では、水抜き孔１４は、これらの隅部の基板部１２側に形成されており、略長方形状に穿設されている。また、この水抜き孔１４は、葺き重ねられる桟瓦２のすくい側２２の端縁に対応する墨ラインＮ上に位置するように設けられており、この水抜き孔１４の中央部に墨ラインＮとの位置合わせマーク１５が水抜き孔１４と一体に穿設されている。
【００２４】
このような水抜き孔１４が存在することによって、軒先面戸１の内側に雨水を滞留させることなく軒先から円滑に排水することができ、その雨垂れも広小舞の前面を伝うことなく軒樋に集水されるので軒先端面の汚れを防いで、水仕舞を健全な状態に維持することができる。また、略三角形の位置合わせマーク１５が設けられていることによって、水抜き孔１４から墨ラインＮの位置を確認しながら、墨ラインＮと位置合わせマーク１５とを合致させることができ、軒先面戸１を軒先の所定位置に容易に配置することができる。さらに、このように正確に配置された軒先面戸１が、桟瓦２の働き幅Ａを基準に形成されているので、軒先に取り付けられた軒先面戸１をもとに、桟瓦２の施工位置を把握でき、容易に葺き重ねていくことが可能になる。
【００２５】
次に、上記構成の軒先面戸１を用いた屋根の軒先構造について、図面を参照しつつ説明する。図４は本発明の屋根の軒先構造を示す断面図であり、図５は軒先面戸の施工工程を示す斜視図である。
【００２６】
図示するように、屋根１０の野地板３の軒先には、断面が直角三角形の広小舞４が配設されている。また、この広小舞４の上面には広小舞水切５が配設されている。広小舞水切５は、広小舞４の上面端部から軒先側へ斜め下方に傾斜して延出されている。
【００２７】
この広小舞水切５の上面には、軒先面戸１の固定板部１１が配設されて広小舞４に釘留めされている。釘留めされた軒先面戸１は、広小舞４の先端よりも軒先前方に張り出し、基板部１２に形成されている水抜き孔１４も広小舞４の先端よりも軒先前方に位置することになる。
【００２８】
さらに固定板部１１の上面には、ルーフィングシート６の先端部がかぶせられている。ルーフィングシート６は、固定板部１１から基板部１２側に１０ｍｍ程度出るように敷設されることが好ましい。本発明ではこのように、釘留めした固定板部１１を釘孔ごとルーフィングシート６で覆うので、別途釘孔のシール処理を行う必要がなく、軒先における止水性を高めることができる。固定された軒先面戸１の面戸板部１３の上部には、面戸板部１３の丸波形状に合わせて桟瓦２…２が葺き重ねられている。
【００２９】
かかる構成の軒先構造は、例えば、屋根１０の野地板３上に敷設されたルーフィングシート６の軒先側を部分的にめくり上げ、軒先面戸１をルーフィングシート６の下側へ差し込み、広小舞４および広小舞水切５の上面に軒先面戸１の固定板部１１を留め付け、この固定板部１１の上面にルーフィングシート６を敷設し直して、基板部１２および面戸板部１３が広小舞４の先端より軒先方向に張り出すように固定して施工される。このとき軒先面戸１は、固定板部１１の長孔１６ａにより取付位置の微調整をしつつ、瓦施工と同様に、左右方向の左から右方向へ順に取り付けられる。
【００３０】
以上説明したように、本発明に係る軒先面戸１および屋根の軒先構造によれば、軒先の隙間を桟瓦２の重なり部分ごと塞ぐことができるので、小動物の侵入を防ぐだけでなく、軒先の美観を格段に向上させることができる。また、基板部１２および面戸板部１３が広小舞４から軒先方向に張り出した構造となるので、雨水が軒先端面を汚すことがなく、水抜き孔１４から円滑に排水することができる。また、かかる軒先面戸１の取付作業も、水抜き孔１４および位置合わせマーク１５が形成されていることによって容易に行うことができ、固定した軒先面戸１を基準にして瓦施工を手際よく行うことができるようになる。
【産業上の利用可能性】
【００３１】
本発明は、瓦葺屋根の軒先の空間を塞ぎ、小動物等の侵入を防ぎつつ美観を整えるのに有効に利用することができる。
【図面の簡単な説明】
【００３２】
【図１】本発明に係る軒先面戸の一例を示し、（ａ）は軒先面戸が施工される屋根の桟瓦の平面図、（ｂ）は葺き重ねられた桟瓦を示す正面図、（ｃ）は軒先面戸の正面図、（ｄ）は軒先面戸の上面図である。
【図２】本発明の軒先面戸の部分拡大図である。
【図３】本発明の軒先面戸の部分拡大図である。
【図４】本発明の屋根の軒先構造を示す断面図である。
【図５】前記軒先面戸の施工工程を示す斜視図である。
【符号の説明】
【００３３】
１      軒先面戸
１１    固定板部
１２    基板部
１３    面戸板部
１４    水抜き孔
１５    位置合わせマーク
１６    長孔
２      桟瓦
３      野地板
４      広小舞
５      広小舞水切
６      ルーフィングシート
７      桟
１０    屋根
【図１】
2006090059.tif 000003
【図２】
2006090059.tif 000004
【図３】
2006090059.tif 000005
【図４】
2006090059.tif 000006
【図５】
2006090059.tif 000007